(57)【要約】【課題】生体情報取得装置において、例えば、腹囲の減少に必要な情報を容易に提供できるようにする。【解決手段】装着者（H）の鼓動を含む振動を検出する生体情報センサ（40）を設ける。ベルト本体（10）に作用する張力を検出する腹囲情報センサ（50）を設ける。腹囲情報センサ（50）から取得した情報に基づいて、装着者（H）の腹囲の増加の有無を判定するとともに、腹囲の増加を認定した場合に、生体情報センサ（40）によって取得した鼓動の情報から、肥満改善に必要な運動強度となる心拍数を算出する制御部（60）を設ける。【選択図】図１
2017202229.tif 000002
【特許請求の範囲】
【請求項１】
人の腹部に巻くベルト本体（10）と、
前記ベルト本体（10）の一端に固定され、前記ベルト本体（10）の人への巻き付け長を調整するバックル（20）と、
装着者（H）の鼓動を含む振動を検出する生体情報センサ（40）と、
前記ベルト本体（10）に作用する張力乃至は装着者（H）の腹部からの反力を検出する腹囲情報センサ（50）と、
前記腹囲情報センサ（50）から取得した情報に基づいて、前記装着者（H）の腹囲の増加の有無を判定するとともに、前記腹囲の増加を認定した場合に、前記生体情報センサ（40）によって取得した鼓動の情報から、肥満改善に必要な運動強度となる心拍数を算出する制御部（60）と、
を備えたことを特徴とする生体情報取得装置。
【請求項２】
請求項１において、
前記制御部（60）は、前記腹囲情報センサ（50）の検出値（S2）のトレンドに基づいて前記装着者（H）の腹囲の増加の有無を判定することを特徴とする生体情報取得装置。
【請求項３】
請求項１又は請求項２において、
前記生体情報センサ（40）は、
中空のチューブ状の感圧チューブ（41）と、
前記感圧チューブ（41）の一端に接続され、該感圧チューブ（41）の内圧に応じた信号（S0）を出力する受圧部（42）と、を備え、
前記制御部（60）は、前記受圧部（42）が出力した信号（S0）に基づいて、前記装着者（H）の鼓動を検出する検出部（61,62）を備えていることを特徴とする生体情報取得装置。
【請求項４】
請求項３において、
前記感圧チューブ（41）は、前記ベルト本体（10）に設けられ、
前記受圧部（42）は、前記バックル（20）に設けられ、
前記感圧チューブ（41）と前記受圧部（42）とは、着脱可能であることを特徴とする生体情報取得装置。
【請求項５】
請求項１から請求項３の何れかにおいて、
前記生体情報センサ（40）及び前記制御部（60）は、前記バックル（20）に設けられていることを特徴とする生体情報取得装置。
【請求項６】
請求項１から請求項３の何れかにおいて、
前記生体情報センサ（40）及び前記腹囲情報センサ（50）は、前記ベルト本体（10）に設けられていることを特徴とする生体情報取得装置。
【請求項７】
請求項３又は請求項４において、
前記感圧チューブ（41）は、前記受圧部（42）が接続された端とは反対側の端が封止されるとともに、前記ベルト本体（10）のうち、前記装着者（H）の背面に位置する部分を除く箇所に設けられており、
前記腹囲情報センサ（50）として、前記生体情報センサ（40）を兼用することを特徴とする生体情報取得装置。
【請求項８】
請求項１から請求項７の何れかにおいて、
前記制御部（60）は、前記生体情報センサ（40）の検出値及び前記腹囲情報センサ（50）の検出値の少なくとも一方を記憶する記憶部（64）を備えていることを特徴とする生体情報取得装置。
【請求項９】
請求項１から請求項８の何れかにおいて、
前記制御部（60）は、取得又は求めた情報を、無線又は有線で送信する通信部（65）を備えていることを特徴とする生体情報取得装置。
【発明の詳細な説明】
【技術分野】
【０００１】
本発明は、生体情報取得装置に関するものである。
【背景技術】
【０００２】
従来、生体の肥満度、体脂肪率等の生体情報を測定する生体情報測定装置が知られている（例えば特許文献１を参照）。特許文献１の例では、生体のウエストの周長の計測や、ウエスト位置の皮下脂肪厚さの情報を取得して、生体の肥満の型を特定している。
【先行技術文献】
【特許文献】
【０００３】
【特許文献１】特開２０１１−１１０６７号公報
【発明の概要】
【発明が解決しようとする課題】
【０００４】
しかしながら、特許文献１の例では、肥満の型などの情報は得られるにとどまり、その情報の活用は容易ではない。
【０００５】
本発明は前記の問題に着目してなされたものであり、生体情報取得装置において、例えば、肥満改善に必要な情報を容易に提供できるようにすることを目的としている。
【課題を解決するための手段】
【０００６】
前記の課題を解決するため、第１の態様は、
人の腹部に巻くベルト本体（10）と、
前記ベルト本体（10）の一端に固定され、前記ベルト本体（10）の人への巻き付け長を調整するバックル（20）と、
装着者（H）の鼓動を含む振動を検出する生体情報センサ（40）と、
前記ベルト本体（10）に作用する張力乃至は装着者（H）の腹部からの反力を検出する腹囲情報センサ（50）と、
前記腹囲情報センサ（50）から取得した情報に基づいて、前記装着者（H）の腹囲の増加の有無を判定するとともに、前記腹囲の増加を認定した場合に、前記生体情報センサ（40）によって取得した鼓動の情報から、肥満改善に必要な運動強度となる心拍数を算出する制御部（60）と、
を備えたことを特徴とする。
【０００７】
この構成では、生体情報センサ（40）によって装着者（H）の鼓動に関する情報を取得し、腹囲情報センサ（50）によって装着者（H）の腹囲に関する情報を取得する。そして、取得したこれらの情報に基づいて、肥満改善に必要な情報を提供する。
【０００８】
また、第２の態様は、第１の態様において、
前記制御部（60）は、前記腹囲情報センサ（50）の検出値（S2）のトレンドに基づいて前記装着者（H）の腹囲の増加の有無を判定することを特徴とする。
【０００９】
この構成では、腹囲情報センサ（50）の信号に含まれる、姿勢変化や食事のような比較的短い間隔で起こる外乱を除いた状態で、腹囲の増減を判定できる。
【００１０】
また、第３の態様は、第１又は第２の態様において、
前記生体情報センサ（40）は、
中空のチューブ状の感圧チューブ（41）と、
前記感圧チューブ（41）の一端に接続され、該感圧チューブ（41）の内圧に応じた信号（S0）を出力する受圧部（42）と、を備え、
前記制御部（60）は、前記受圧部（42）が出力した信号（S0）に基づいて、前記装着者（H）の鼓動を検出する検出部（61,62）を備えていることを特徴とする。
【００１１】
この構成では、チューブ式の生体情報センサ（40）によって、装着者（H）の鼓動を含む振動が検出される。
【００１２】
また、第４の態様は、第３の態様において、
前記感圧チューブ（41）は、前記ベルト本体（10）に設けられ、
前記受圧部（42）は、前記バックル（20）に設けられ、
前記感圧チューブ（41）と前記受圧部（42）とは、着脱可能であることを特徴とする。
【００１３】
この構成では、ベルト本体（10）とバックル（20）とを容易に着脱（組み替え）することができる。
【００１４】
また、第５の態様は、第１から第３の態様の何れかにおいて、
前記生体情報センサ（40）及び前記制御部（60）は、前記バックル（20）に設けられていることを特徴とする。
【００１５】
この構成では、ベルト本体（10）に設けるセンサの数を減らすことが可能になる。それにより、人が装着状態でセンサに触れることによって違和感を持つ可能性が、より小さくなる。
【００１６】
また、第６の態様は、第１から第３の態様の何れかにおいて、
前記生体情報センサ（40）及び前記腹囲情報センサ（50）は、前記ベルト本体（10）に設けられていることを特徴とする。
【００１７】
この構成では、ベルト本体（10）に設けられた生体情報センサ（40）等によってデータ取得が行われる。
【００１８】
また、第７の態様は、第３又は第４の態様において、
前記感圧チューブ（41）は、前記受圧部（42）が接続された端とは反対側の端が封止されるとともに、前記ベルト本体（10）のうち、前記装着者（H）の背面に位置する部分を除く箇所に設けられており、
前記腹囲情報センサ（50）として、前記生体情報センサ（40）を兼用することを特徴とする。
【００１９】
この構成では、１つのセンサで装着者（H）の鼓動を含む振動に加え、腹囲に関する情報も取得する。すなわち、この構成では、センサ数低減によるコストの低減が可能になる。また、この構成では、ベルト本体（10）が過度に変形し難い部位に生体情報センサ（40）等が設けられることになる。そのため、生体情報センサ（40）等によって確実なデータ取得が可能になる。
【００２０】
また、第８の態様は、第１から第７の態様の何れかにおいて、
前記制御部（60）は、前記生体情報センサ（40）の検出値及び前記腹囲情報センサ（50）の検出値の少なくとも一方を記憶する記憶部（64）を備えていることを特徴とする。
【００２１】
この構成では、センサ（40,50）で取得した情報が記憶されるので、ユーザ（装着者（H））への情報提供やデータ処理が容易になる。
【００２２】
また、第９の態様は、第１から第８の態様の何れかにおいて、
前記制御部（60）は、取得又は求めた情報を、無線又は有線で送信する通信部（65）を備えていることを特徴とする。
【００２３】
この構成では、ユーザ（装着者（H））への情報提供が容易になる。
【発明の効果】
【００２４】
前記の各態様によれば、生体情報取得装置において、例えば、肥満改善に必要な情報を容易に提供することが可能になる。
【図面の簡単な説明】
【００２５】
【図１】図１は、本発明の実施形態１に係る生体情報取得装置の斜視図である。
【図２】図２は、情報取得部のブロック図である。
【図３】図３は、バックルの断面を模式的に示す。
【図４】図４は、バックルの正面から見た、感圧チューブの収容状態を示す。
【図５】図５に、腹囲信号の時系列データの一例を示す。
【図６】図６は、生体情報取得装置の動作を説明するフローチャートである。
【図７】図７は、本発明の実施形態２に係る生体情報取得装置の斜視図である。
【図８】図８は、実施形態２の変形例に係る生体情報取得装置の正面図である。
【発明を実施するための形態】
【００２６】
以下、本発明の実施形態について図面を参照しながら説明する。なお、以下の実施形態は、本質的に好ましい例示であって、本発明、その適用物、あるいはその用途の範囲を制限することを意図するものではない。
【００２７】
《発明の実施形態１》
図１は、本発明の実施形態１に係る生体情報取得装置（1）の斜視図である。この生体情報取得装置（1）は、人の衣服用ベルトとして構成されている。図１に示すように、生体情報取得装置（1）（以下、衣服用ベルト（1）とも呼ぶ）は、ベルト本体（10）、バックル（20）、及び情報取得部（30）を備えている。
【００２８】
〈ベルト本体、バックル〉
ベルト本体（10）は、人の腹部に巻く帯状の部材であり、例えば、皮革、合成皮革、樹脂などの材料によって構成されている。また、バックル（20）は、ベルト本体（10）の一端に固定され、ベルト本体（10）の人への巻き付け長（以下、ベルト長とも呼ぶ）を調整する。
【００２９】
〈情報取得部〉
図２は、情報取得部（30）のブロック図である。図２に示すように、情報取得部（30）は、生体情報センサ（40）、腹囲情報センサ（50）、及び制御部（60）を備えている。この情報取得部（30）は、衣服用ベルト（1）を装着した人（以下、装着者（H）と呼ぶ）の心拍情報と腹囲情報とを取得し、装着者（H）の腹囲の増加を認定した場合に、肥満改善に必要な情報（この例では腹囲減少に必要な運動強度の心拍数）装着者（H）に提示する。
【００３０】
−生体情報センサ−
生体情報センサ（40）は、装着者（H）の心拍情報（具体的には鼓動）を検出するものであり、感圧チューブ（41）と圧力センサ（42）とを備えている。
【００３１】
感圧チューブ（41）は、中空のチューブ状の部材である。この例では、感圧チューブ（41）は、内径が約４ｍｍ以下の樹脂製（例えば塩化ビニル製）である。そして、感圧チューブ（41）は、バックル（20）内に設けられている。図３に、バックル（20）の断面を模式的に示す。この例では、バックル（20）における装着者（H）の腹部側の面（以下、感圧面（21）と呼ぶ）は、板状の弾性体（例えば樹脂板）によって形成されており、感圧チューブ（41）は、図３に示すように、バックル（20）内に、感圧面（21）に接して設けられている。また、図４に、バックル（20）の正面から見た、感圧チューブ（41）の収容状態を示す。この例では、図４に示すように、感圧チューブ（41）は、Ｕ字状に曲げて収容されている。勿論、この形態は例示であり、感圧チューブ（41）は、直線状でもよいし、バックル（20）内で蛇行するものであってもよい。
【００３２】
圧力センサ（42）（例えばマイクロフォン）は、感圧チューブ（41）の内圧に応じた信号を出力するものであり、本発明の受圧部の一例である。この例では、圧力センサ（42）は、バックル（20）内に設けられた回路基板（70）と感圧チューブの間に存在し、感圧チューブ（41）の一端の開口に接続されている。なお、感圧チューブ（41）の他端側の端部（圧力センサ（42）と接続されていない側の端部）における開口は開放状態である。この例では、感圧チューブ（41）の他端側は、バックル（20）内に開口（すなわち大気に開放）している。より詳しくは、本実施形態では、感圧チューブ（41）の先端には絞り部材（43）が挿入されている。この絞り部材（43）には、連通孔（43a）が形成されており、連通孔（43a）は、感圧チューブ（41）内の空間を大気に開放する。これにより、感圧チューブ（41）に過大な力が作用した場合などに，内圧が不要に上昇するのを防止できる。連通孔（43a）の大きさは、感圧チューブ（41）に求められる感度などに応じて適宜設定するとよい。なお、感圧チューブ（41）の用途によっては、絞り部材（43）を省略することも可能である。
【００３３】
以上の構成において、装着者（H）の体動（装着者（H）の鼓動を含む振動）が感圧面（21）に加わると、感圧チューブ（41）が感圧面（21）からの圧力を受け、感圧チューブ（41）の内圧が変化する。感圧チューブ（41）の内圧が変化すると、圧力センサ（42）は、感圧チューブ（41）の内圧変化に応じた信号を出力する。
【００３４】
−腹囲情報センサ−
腹囲情報センサ（50）は、ベルト本体（10）に作用する張力等を検出することによって、装着者（H）の腹囲の情報を検出する。この例では、腹囲情報センサ（50）は、圧電素子によって構成されており、ベルト本体（10）に設けられている。この構成により、腹囲情報センサ（50）は、ベルト本体（10）に作用している張力乃至は装着者（H）の腹部からの反力に応じた信号（以下、腹囲信号（S2））出力する。この腹囲信号（S2）は、装着者（H）の現在の腹囲を示す情報（以下、腹囲情報）として利用する。そのため、この腹囲信号（S2）は、制御部（60）に入力されている。なお、ここで採用した圧電素子は例示であり、腹囲情報センサ（50）には、空気袋、静電式ひずみセンサ、抵抗式ひずみセンサ等の種々のセンサの採用が可能である。
【００３５】
−制御部−
制御部（60）は、体動信号抽出部（61）、心拍信号抽出部（62）、情報算出部（63）、記憶部（64）、及び通信部（65）を備えている。本実施形態では、回路基板（70）上に実装したマイクロコンピュータ（図示を省略）と、それを動作させるソフトウエアとによって制御部（60）を構成している。なお、制御部（60）には、電源が必要であるが、例えば充電式のバッテリ等を回路基板（70）等に実装することが考えられる。勿論、これは例示であり、種々の電源の採用が可能である。
【００３６】
本実施形態の体動信号抽出部（61）は、圧力センサ（42）から出力された信号（以下、圧力信号（S0））に基づき、装着者（H）の体動信号（S1）（体全体の大きな動きに由来する粗体動と、心拍・呼吸等に由来する微動とを含む信号）を抽出する。また、心拍信号抽出部（62）は、体動信号（S1）から心拍に由来する信号（心拍信号）を抽出する。つまり、体動信号抽出部（61）と心拍信号抽出部（62）とによって、本発明の検出部の一例を構成している。
【００３７】
一方、情報算出部（63）は、装着者（H）の腹囲の増加有無の判定を行うとともに、腹囲の増加を認定した場合には、腹囲の減少に必要な運動強度の心拍数の算出を行う。腹囲の増加有無は、例えば、腹囲信号（S2）（腹囲情報センサ（50）の検出値）のトレンドに基づいて判定することが考えられる。
【００３８】
図５に、腹囲信号（S2）の時系列データの一例を示す。図５では、上段と下段とでは時間のスケールが異なる。上段の時系列データは、数分間程度の期間を示し、下段の時系列データは、数ヶ月程度の期間を示している。以下では、図５の上段の時系列データを短期データと呼び、下段の時系列データを長期データと呼ぶことにする。
【００３９】
図５に例示した短期データでは、腹囲信号（S2）は、例えば姿勢変化によって出力が変化している。この例では、椅子に着席すると信号レベルが上昇し（この例では腹囲が増加）、椅子から離席すると信号レベルが低下（腹囲が減少）している。また、食事を行うと信号レベルが上昇（腹囲が増加）している。このように、短期データには、姿勢変化や食事に影響が顕著に表れるため、短期間のデータでは腹囲の変化を判断するのは難しい。
【００４０】
しかしながら、ある程度以上の期間において腹囲信号（S2）のトレンドを見ることで腹囲の増加有無を知ることができる。図５の長期データには、信号レベルのトレンドを破線で示してある（以下、トレンドカーブと呼ぶ）。図５のトレンドカーブを見ると、この装着者（H）は、計測開始時（t0）から計測時（t1）までの期間において、信号レベルが増大傾向（腹囲が増大傾向）にあることが分かる。
【００４１】
このようなトレンドは、種々の方法で算出できるが、情報算出部（63）では、腹囲信号（S2）（デジタル値）の移動平均を算出することによって判定を行っている。図５の長期データでは、装着者（H）の腹囲は増加傾向にあり、装着者（H）は、計測時（t1）において、バックル（20）の固定位置、すなわちベルト長を調整して、ベルト本体（10）による締め付けを緩めている。なお、トレンドの算出には、所定期間分の腹囲信号（S2）を記憶しておく必要があるが、制御部（60）では、定期的にサンプリングした腹囲信号（S2）を記憶部（64）に格納している。
【００４２】
また、情報算出部（63）は、腹囲信号（S2）のトレンドから、装着者（H）の腹囲が増加傾向にあると判定した場合には、装着者（H）に対して、肥満改善のための情報（例えば腹囲を減少させるための情報）を提供する。具体的にこの例では、生体情報センサ（40）によって取得した鼓動の情報も用いつつ、腹囲の減少に必要な運動強度となる心拍数を算出している。必要な運動強度となる心拍数の算出も種々の計算式が知られているが、例えば、（目標心拍数＝（最大心拍数−安静時心拍数）×０．５＋安静時心拍数）といった式を利用することが考えられ、本実施形態の情報算出部（63）では、この式を採用している。情報算出部（63）は、この算出結果を記憶部（64）に格納する。
【００４３】
−記憶部、通信部−
記憶部（64）は、半導体メモリデバイスで構成されており、測定されたデータや算出されたデータを格納する。一方、通信部（65）は、記憶部（64）の格納されている情報などを衣服用ベルト（1）の外部に送信する。送信するデータとしては、情報算出部（63）で算出した腹囲の減少に必要な運動強度に関する情報（心拍数）、腹囲のトレンドの情報などが挙げられる。この通信部（65）は、ユニバーサル・シリアル・バス（Universal Serial Bus、略称：USB）等を利用した有線通信を行うものでもよいし、電波や赤外線などを用いた無線通信を行うものでもよい。なお、通信部（65）が送信したデータを受信させる機器としては、いわゆるスマートフォンなどの携帯端末やパーソナルコンピュータなど、種々の機器が考えられる。
【００４４】
〈生体情報取得装置の動作〉
図６は、生体情報取得装置（1）の動作を説明するフローチャートである。まず、ステップ（ST01）では、制御部（60）は、生体情報センサ（40）からの圧力信号（S0）、及び腹囲情報センサ（50）から腹囲信号（S2）を取得する。より具体的には、体動信号抽出部（61）が圧力信号（S0）を読み取り、情報算出部（63）が腹囲信号（S2）を読み取る。制御部（60）では、読み取ったこれらの情報を、適宜、記憶部（64）に格納する。
【００４５】
ステップ（ST02）では、体動信号抽出部（61）が、圧力信号（S0））に基づき、装着者（H）の体動信号（S1）を抽出する。また、このステップでは、心拍信号抽出部（62）が、体動信号（S1）から、装着者（H）の心拍に由来する信号（心拍信号）を抽出する。また、トレンドの算出に十分な腹囲信号（S2）が得られた場合には、このステップにおいて、情報算出部（63）が腹囲信号（S2）のトレンドを算出する。トレンドを算出することで、腹囲信号（S2）から、姿勢変化、食事などの比較的短い間隔で起こる外乱による信号変化を除去した信号を得ることができる。
【００４６】
ステップ（ST03）では、情報算出部（63）が腹囲信号（S2）のトレンドを分析する。具体的には、トレンドカーブの傾きなどを見るなどして、装着者（H）が肥満傾向にあるか、痩せ傾向にあるか、ベルト長を変更したか否かを分析する。本実施形態では、情報算出部（63）は、分析結果を一旦、記憶部（64）に格納する。
【００４７】
そして、ステップ（ST04）において制御部（60）は、情報算出部（63）で求めた情報や記憶部（64）に格納してある情報を、通信部（65）を介して、外部の機器（例えば既述の携帯端末など）に、当該機器で表示できるように送信する。通信部（65）が送信を終えると、制御部（60）は、再びステップ（ST01）の制御に戻って動作を継続する。なお、通信部（65）からの情報を受信した機器は、例えば、腹囲減少に必要な運動強度となる心拍数や、腹囲のトレンドなどを表示する。それにより、装着者（H）は、自分の健康管理（例えば肥満解消のための運動）などを行うことが可能になる。
【００４８】
〈本実施形態における効果〉
以上のように、本実施形態では、生体情報取得装置において、肥満改善のための情報（例えば腹囲の減少に必要な情報）を容易に提供することが可能になる。
【００４９】
《発明の実施形態２》
図７は、本発明の実施形態２に係る生体情報取得装置（1）の斜視図である。この例は、生体情報センサ（40）の一部分がベルト本体（10）に設けられている点が実施形態１の例と相異する。具体的には、本実施形態の生体情報センサ（40）は、感圧チューブ（41）が感圧部本体（41a）と延長部（41b）とに分割されており、両者がコネクタ（41c）で連結されている。このコネクタ（41c）は、ベルト本体（10）に固定され、その一端がベルト本体（10）の内部に開口し、他端がベルト本体（10）の外に開口している。
【００５０】
また、感圧部本体（41a）は、ベルト本体（10）内に設けられている。詳しくは、ベルト本体（10）は、帯状の芯材とそれを覆う表面被覆とを備えており、感圧部本体（41a）は、芯材と表面被覆との間に挟み込まれている。より具体的には、衣服用ベルト（1）の装着時に装着者（H）の腹部側となる側の芯材の面（内側面）に面して感圧部本体（41a）を配置し、それを表面被覆で覆ってある。また、衣服用ベルト（1）の装着時において、感圧部本体（41a）が、装着者（H）の脇腹に相当する位置となるように、ベルト本体（10）上の位置を決定してある。そして、感圧部本体（41a）は、その一端が、表面被覆に設けられたコネクタ（41c）に接続されている。感圧部本体（41a）の他端は、ベルト本体（10）内部で開口している。
【００５１】
一方、延長部（41b）の一端の開口には、圧力センサ（42）が接続され、他端の開口は、バックル（20）の外に引き出されてコネクタ（41c）に接続されている。
【００５２】
以上のように、感圧チューブ（41）を分割したことにより、バックル（20）をベルト本体（10）から容易に取り外すことができる。それにより、ベルト本体（10）に感圧チューブ（41）を設けた場合においても、ベルト本体（10）とバックル（20）との組み合わせを変えるなど、ユーザの嗜好に対応すること可能になる。なお、コネクタ（41c）の取付位置は例示であり、例えば、コネクタ（41c）をバックル（20）に取り付けてもよい。
【００５３】
以上の構成でも、装着者（H）の体動（装着者（H）の鼓動を含む振動）が衣服を介してベルト本体（10）の表面被覆に加わると、感圧部本体（41a）が表面被覆からの圧力を受け、感圧部本体（41a）の内圧が変化する。その内圧変化は更に延長部（41b）にも伝わり、その結果、圧力センサ（42）は、この内圧変化に応じた信号を出力する。したがって、本実施形態でも実施形態１と同様に、腹囲情報及び生体情報（鼓動等）の取得ができる。すなわち、本実施形態でも、生体情報取得装置において、肥満改善のための情報（例えば腹囲の減少に必要な情報）を容易に提供することが可能になる。
【００５４】
なお、感圧部本体（41a）は、衣服用ベルト（1）の装着状態において、装着者（H）の背面に位置する部分に来ないように配置（背面に位置する部分を除く箇所に配置）するのが好ましい。人の背面側ではベルト本体（10）の大きな変形（例えば折れ曲がり）等が起こりやすく、取得した情報の信頼性が低下すると考えられるからである。
【００５５】
また、感圧部本体（41a）は、芯材の外側面に面して配置し、それを表面被覆で覆ってもよい。また、感圧部本体（41a）は、表面被覆上に設けることも可能である。
【００５６】
《実施形態２の変形例》
実施形態２の変形例では、腹囲情報センサ（50）として、生体情報センサ（40）を兼用する例を説明する。
【００５７】
図８は、実施形態２の変形例に係る生体情報取得装置（1）の正面図である。この例では、感圧チューブ（41）の他端側の端部（圧力センサ（42）と接続されていない側の端部）における開口は封止されている。より具体的には、感圧部本体（41a）における、コネクタ（41c）との接続側とは反対側の端が、封止栓（41d）で塞がれている。
【００５８】
このように感圧チューブ（41）（より具体的には感圧部本体（41a））の端を封止栓（41d）で塞いで密閉状態とすると、装着者（H）が衣服用ベルト（1）を装着したことによって、ベルト本体（10）に作用した、装着者（H）の腹部からの反力によって、内圧が変化する。そのため、本実施形態では、圧力センサ（42）が出力する圧力信号（S0）を、体動信号抽出部（61）に入力するとともに、腹囲信号（S2）として情報算出部（63）にも入力している。
【００５９】
そして、封止栓（41d）を有した生体情報センサ（40）でも、装着者（H）の体動（装着者（H）の鼓動を含む振動）が衣服を介してベルト本体（10）の表面被覆に加わると、感圧部本体（41a）が表面被覆の圧力を受け、感圧部本体（41a）の内圧が変化する。その内圧変化は更に延長部（41b）にも伝わり、その結果、圧力センサ（42）は、この内圧変化に応じた信号を出力する。
【００６０】
したがって、本変形例でも、各実施形態の衣服用ベルト（1）と同様に、腹囲情報及び生体情報（鼓動等）の取得ができる。そのため、本変形例でも、肥満改善のための情報（例えば腹囲の減少に必要な情報）を容易に提供することが可能になる。しかも、本変形例では、センサの数を減らせるのでコストの低減も可能になる。
【００６１】
《その他の実施形態》
なお、実施形態１でも、実施形態２の変形例のように、生体情報センサ（40）として、感圧チューブ（41）の一端を封止栓（41d）で塞いだものを用いてもよい。
【００６２】
また、生体情報センサ（40）は、各実施形態で説明したようなチューブ式のセンサには限定されない。
【００６３】
また、腹囲情報センサ（50）には、圧電素子を用いた圧電式ひずみセンサの他に、ひずみに応じた静電容量を測定する静電容量式ひずみセンサ、抵抗式ひずみセンサ等の種々センサを採用できる。
【００６４】
また、情報取得部（30）で得た情報は、表示機構（液晶パネルやＬＥＤ表示装置など）をバックル（20）等に設けて、それに表示してもよい。
【００６５】
また、制御部（60）や生体情報センサ（40）は、必ずしもバックル（20）に設ける必要はなく、例えば、別のケーシングに入れ、そのケーシングをベルト本体（10）に取り付けるようにしてもよい。生体情報センサ（40）を別のケーシングに入れる場合には、生体情報センサ（40）がベルト本体（10）に面するようにするとよい。
【産業上の利用可能性】
【００６６】
本発明は、生体情報取得装置として有用である。
【符号の説明】
【００６７】
１      衣服用ベルト（生体情報取得装置）
１０      ベルト本体
２０      バックル
４０      生体情報センサ
４１      感圧チューブ
４２      圧力センサ（受圧部）
５０      腹囲情報センサ
６０      制御部
６１      体動信号抽出部（検出部）
６２      心拍信号抽出部（検出部）
６４      記憶部
６５      通信部
【図１】
2017202229.tif 000003
【図２】
2017202229.tif 000004
【図３】
2017202229.tif 000005
【図４】
2017202229.tif 000006
【図５】
2017202229.tif 000007
【図６】
2017202229.tif 000008
【図７】
2017202229.tif 000009
【図８】
2017202229.tif 000010
【手続補正書】
【提出日】平成28年11月24日(2016.11.24)
【手続補正１】
【補正対象書類名】明細書
【補正対象項目名】全文
【補正方法】変更
【補正の内容】
【発明の詳細な説明】
【技術分野】
【０００１】
本発明は、生体情報取得装置に関するものである。
【背景技術】
【０００２】
従来、生体の肥満度、体脂肪率等の生体情報を測定する生体情報測定装置が知られている（例えば特許文献１を参照）。特許文献１の例では、生体のウエストの周長の計測や、ウエスト位置の皮下脂肪厚さの情報を取得して、生体の肥満の型を特定している。
【先行技術文献】
【特許文献】
【０００３】
【特許文献１】特開２０１１−１１０６７号公報
【発明の概要】
【発明が解決しようとする課題】
【０００４】
しかしながら、特許文献１の例では、肥満の型などの情報は得られるにとどまり、その情報の活用は容易ではない。
【０００５】
本発明は前記の問題に着目してなされたものであり、生体情報取得装置において、例えば、肥満改善に必要な情報を容易に提供できるようにすることを目的としている。
【課題を解決するための手段】
【０００６】
前記の課題を解決するため、第１の態様は、
人の腹部に巻くベルト本体（10）と、
装着者（H）の鼓動を含む振動を検出する生体情報センサ（40）と、
前記ベルト本体（10）に作用する張力を検出するする腹囲情報センサ（50）と、
前記腹囲情報センサ（50）から取得した情報に基づいて、前記装着者（H）の腹囲の増加の有無を判定するとともに、前記腹囲の増加を認定した場合に、前記生体情報センサ（40）によって取得した鼓動の情報から、肥満改善に必要な運動強度となる心拍数を算出する制御部（60）と、
を備えたことを特徴とする。
【０００７】
この構成では、生体情報センサ（40）によって装着者（H）の鼓動に関する情報を取得し、腹囲情報センサ（50）によって装着者（H）の腹囲に関する情報を取得する。そして、取得したこれらの情報に基づいて、肥満改善に必要な情報を提供する。
【０００８】
また、第２の態様は、第１の態様において、
前記制御部（60）は、前記腹囲情報センサ（50）の検出値（S2）のトレンドに基づいて前記装着者（H）の腹囲の増加の有無を判定することを特徴とする。
【０００９】
この構成では、腹囲情報センサ（50）の信号に含まれる、姿勢変化や食事のような比較的短い間隔で起こる外乱を除いた状態で、腹囲の増減を判定できる。
【００１０】
また、第３の態様は、第１又は第２の態様において、
前記生体情報センサ（40）は、
中空のチューブ状の感圧チューブ（41）と、
前記感圧チューブ（41）の一端に接続され、該感圧チューブ（41）の内圧に応じた信号（S0）を出力する受圧部（42）と、を備え、
前記制御部（60）は、前記受圧部（42）が出力した信号（S0）に基づいて、前記装着者（H）の鼓動を検出する検出部（61,62）を備えていることを特徴とする。
【００１１】
この構成では、チューブ式の生体情報センサ（40）によって、装着者（H）の鼓動を含む振動が検出される。
【００１２】
また、第４の態様は、第３の態様において、
前記感圧チューブ（41）は、前記ベルト本体（10）に設けられ、
前記受圧部（42）は、前記ベルト本体（10）のバックル（20）に設けられ、
前記感圧チューブ（41）と前記受圧部（42）とは、着脱可能であることを特徴とする。
【００１３】
この構成では、ベルト本体（10）とバックル（20）とを容易に着脱（組み替え）することができる。
【００１４】
また、第５の態様は、第１から第３の態様の何れかにおいて、
前記生体情報センサ（40）及び前記制御部（60）は、前記ベルト本体（10）のバックル（20）に設けられていることを特徴とする。
【００１５】
この構成では、ベルト本体（10）に設けるセンサの数を減らすことが可能になる。それにより、人が装着状態でセンサに触れることによって違和感を持つ可能性が、より小さくなる。
【００１６】
また、第６の態様は、第１から第３の態様の何れかにおいて、
前記生体情報センサ（40）及び前記腹囲情報センサ（50）は、前記ベルト本体（10）に設けられていることを特徴とする。
【００１７】
この構成では、ベルト本体（10）に設けられた生体情報センサ（40）等によってデータ取得が行われる。
【００１８】
また、第７の態様は、第３又は第４の態様において、
前記感圧チューブ（41）は、前記受圧部（42）が接続された端とは反対側の端が封止されるとともに、前記ベルト本体（10）のうち、前記装着者（H）の背面に位置する部分を除く箇所に設けられており、
前記腹囲情報センサ（50）として、前記生体情報センサ（40）を兼用することを特徴とする。
【００１９】
この構成では、１つのセンサで装着者（H）の鼓動を含む振動に加え、腹囲に関する情報も取得する。すなわち、この構成では、センサ数低減によるコストの低減が可能になる。また、この構成では、ベルト本体（10）が過度に変形し難い部位に生体情報センサ（40）等が設けられることになる。そのため、生体情報センサ（40）等によって確実なデータ取得が可能になる。
【００２０】
また、第８の態様は、
装着者（H）の鼓動を含む振動を検出する生体情報センサ（40）と、
前記装着者（H）の腹部からの反力を検出する腹囲情報センサ（50）と、
前記腹囲情報センサ（50）から取得した情報に基づいて、前記装着者（H）の腹囲の増加の有無を判定するとともに、前記腹囲の増加を認定した場合に、前記生体情報センサ（40）によって取得した鼓動の情報から、肥満改善に必要な運動強度となる心拍数を算出する制御部（60）と、
を備えたことを特徴とする生体情報取得装置である。
【００２１】
また、第９の態様は、第７又は第８の態様において、
前記制御部（60）は、前記腹囲情報センサ（50）の検出値（S2）のトレンドに基づいて前記装着者（H）の腹囲の増加の有無を判定することを特徴とする生体情報取得装置である。
【００２２】
また、第１０の態様は、第７から第９の態様の何れかにおいて、
前記生体情報センサ（40）は、
中空のチューブ状の感圧チューブ（41）と、
前記感圧チューブ（41）の一端に接続され、該感圧チューブ（41）の内圧に応じた信号（S0）を出力する受圧部（42）と、を備え、
前記制御部（60）は、前記受圧部（42）が出力した信号（S0）に基づいて、前記装着者（H）の鼓動を検出する検出部（61,62）を備えていることを特徴とする生体情報取得装置である。
【００２３】
また、第１１の態様は、第３、第４、及び第１０の態様の何れかにおいて、
前記感圧チューブ（41）は、前記受圧部（42）が接続された端とは反対側の端が封止されるとともに、前記ベルト本体（10）のうち、前記装着者（H）の背面に位置する部分を除く箇所に設けられており、
前記腹囲情報センサ（50）として、前記生体情報センサ（40）を兼用することを特徴とする生体情報取得装置である。
【００２４】
また、第１２の態様は、第１から第１１の態様の何れかにおいて、
前記制御部（60）は、前記生体情報センサ（40）の検出値及び前記腹囲情報センサ（50）の検出値の少なくとも一方を記憶する記憶部（64）を備えていることを特徴とする。
【００２５】
この構成では、センサ（40,50）で取得した情報が記憶されるので、ユーザ（装着者（H））への情報提供やデータ処理が容易になる。
【００２６】
また、第１３の態様は、第１から第１８の態様の何れかにおいて、
前記制御部（60）は、取得又は求めた情報を、無線又は有線で送信する通信部（65）を備えていることを特徴とする。
【００２７】
この構成では、ユーザ（装着者（H））への情報提供が容易になる。
【発明の効果】
【００２８】
前記の各態様によれば、生体情報取得装置において、例えば、肥満改善に必要な情報を容易に提供することが可能になる。
【図面の簡単な説明】
【００２９】
【図１】図１は、本発明の実施形態１に係る生体情報取得装置の斜視図である。
【図２】図２は、情報取得部のブロック図である。
【図３】図３は、バックルの断面を模式的に示す。
【図４】図４は、バックルの正面から見た、感圧チューブの収容状態を示す。
【図５】図５に、腹囲信号の時系列データの一例を示す。
【図６】図６は、生体情報取得装置の動作を説明するフローチャートである。
【図７】図７は、本発明の実施形態２に係る生体情報取得装置の斜視図である。
【図８】図８は、実施形態２の変形例に係る生体情報取得装置の正面図である。
【発明を実施するための形態】
【００３０】
以下、本発明の実施形態について図面を参照しながら説明する。なお、以下の実施形態は、本質的に好ましい例示であって、本発明、その適用物、あるいはその用途の範囲を制限することを意図するものではない。
【００３１】
《発明の実施形態１》
図１は、本発明の実施形態１に係る生体情報取得装置（1）の斜視図である。この生体情報取得装置（1）は、人の衣服用ベルトとして構成されている。図１に示すように、生体情報取得装置（1）（以下、衣服用ベルト（1）とも呼ぶ）は、ベルト本体（10）、バックル（20）、及び情報取得部（30）を備えている。
【００３２】
〈ベルト本体、バックル〉
ベルト本体（10）は、人の腹部に巻く帯状の部材であり、例えば、皮革、合成皮革、樹脂などの材料によって構成されている。また、バックル（20）は、ベルト本体（10）の一端に固定され、ベルト本体（10）の人への巻き付け長（以下、ベルト長とも呼ぶ）を調整する。
【００３３】
〈情報取得部〉
図２は、情報取得部（30）のブロック図である。図２に示すように、情報取得部（30）は、生体情報センサ（40）、腹囲情報センサ（50）、及び制御部（60）を備えている。この情報取得部（30）は、衣服用ベルト（1）を装着した人（以下、装着者（H）と呼ぶ）の心拍情報と腹囲情報とを取得し、装着者（H）の腹囲の増加を認定した場合に、肥満改善に必要な情報（この例では腹囲減少に必要な運動強度の心拍数）装着者（H）に提示する。
【００３４】
−生体情報センサ−
生体情報センサ（40）は、装着者（H）の心拍情報（具体的には鼓動）を検出するものであり、感圧チューブ（41）と圧力センサ（42）とを備えている。
【００３５】
感圧チューブ（41）は、中空のチューブ状の部材である。この例では、感圧チューブ（41）は、内径が約４ｍｍ以下の樹脂製（例えば塩化ビニル製）である。そして、感圧チューブ（41）は、バックル（20）内に設けられている。図３に、バックル（20）の断面を模式的に示す。この例では、バックル（20）における装着者（H）の腹部側の面（以下、感圧面（21）と呼ぶ）は、板状の弾性体（例えば樹脂板）によって形成されており、感圧チューブ（41）は、図３に示すように、バックル（20）内に、感圧面（21）に接して設けられている。また、図４に、バックル（20）の正面から見た、感圧チューブ（41）の収容状態を示す。この例では、図４に示すように、感圧チューブ（41）は、Ｕ字状に曲げて収容されている。勿論、この形態は例示であり、感圧チューブ（41）は、直線状でもよいし、バックル（20）内で蛇行するものであってもよい。
【００３６】
圧力センサ（42）（例えばマイクロフォン）は、感圧チューブ（41）の内圧に応じた信号を出力するものであり、本発明の受圧部の一例である。この例では、圧力センサ（42）は、バックル（20）内に設けられた回路基板（70）と感圧チューブの間に存在し、感圧チューブ（41）の一端の開口に接続されている。なお、感圧チューブ（41）の他端側の端部（圧力センサ（42）と接続されていない側の端部）における開口は開放状態である。この例では、感圧チューブ（41）の他端側は、バックル（20）内に開口（すなわち大気に開放）している。より詳しくは、本実施形態では、感圧チューブ（41）の先端には絞り部材（43）が挿入されている。この絞り部材（43）には、連通孔（43a）が形成されており、連通孔（43a）は、感圧チューブ（41）内の空間を大気に開放する。これにより、感圧チューブ（41）に過大な力が作用した場合などに，内圧が不要に上昇するのを防止できる。連通孔（43a）の大きさは、感圧チューブ（41）に求められる感度などに応じて適宜設定するとよい。なお、感圧チューブ（41）の用途によっては、絞り部材（43）を省略することも可能である。
【００３７】
以上の構成において、装着者（H）の体動（装着者（H）の鼓動を含む振動）が感圧面（21）に加わると、感圧チューブ（41）が感圧面（21）からの圧力を受け、感圧チューブ（41）の内圧が変化する。感圧チューブ（41）の内圧が変化すると、圧力センサ（42）は、感圧チューブ（41）の内圧変化に応じた信号を出力する。
【００３８】
−腹囲情報センサ−
腹囲情報センサ（50）は、ベルト本体（10）に作用する張力等を検出することによって、装着者（H）の腹囲の情報を検出する。この例では、腹囲情報センサ（50）は、圧電素子によって構成されており、ベルト本体（10）に設けられている。この構成により、腹囲情報センサ（50）は、ベルト本体（10）に作用している張力乃至は装着者（H）の腹部からの反力に応じた信号（以下、腹囲信号（S2））出力する。この腹囲信号（S2）は、装着者（H）の現在の腹囲を示す情報（以下、腹囲情報）として利用する。そのため、この腹囲信号（S2）は、制御部（60）に入力されている。なお、ここで採用した圧電素子は例示であり、腹囲情報センサ（50）には、空気袋、静電式ひずみセンサ、抵抗式ひずみセンサ等の種々のセンサの採用が可能である。
【００３９】
−制御部−
制御部（60）は、体動信号抽出部（61）、心拍信号抽出部（62）、情報算出部（63）、記憶部（64）、及び通信部（65）を備えている。本実施形態では、回路基板（70）上に実装したマイクロコンピュータ（図示を省略）と、それを動作させるソフトウエアとによって制御部（60）を構成している。なお、制御部（60）には、電源が必要であるが、例えば充電式のバッテリ等を回路基板（70）等に実装することが考えられる。勿論、これは例示であり、種々の電源の採用が可能である。
【００４０】
本実施形態の体動信号抽出部（61）は、圧力センサ（42）から出力された信号（以下、圧力信号（S0））に基づき、装着者（H）の体動信号（S1）（体全体の大きな動きに由来する粗体動と、心拍・呼吸等に由来する微動とを含む信号）を抽出する。また、心拍信号抽出部（62）は、体動信号（S1）から心拍に由来する信号（心拍信号）を抽出する。つまり、体動信号抽出部（61）と心拍信号抽出部（62）とによって、本発明の検出部の一例を構成している。
【００４１】
一方、情報算出部（63）は、装着者（H）の腹囲の増加有無の判定を行うとともに、腹囲の増加を認定した場合には、腹囲の減少に必要な運動強度の心拍数の算出を行う。腹囲の増加有無は、例えば、腹囲信号（S2）（腹囲情報センサ（50）の検出値）のトレンドに基づいて判定することが考えられる。
【００４２】
図５に、腹囲信号（S2）の時系列データの一例を示す。図５では、上段と下段とでは時間のスケールが異なる。上段の時系列データは、数分間程度の期間を示し、下段の時系列データは、数ヶ月程度の期間を示している。以下では、図５の上段の時系列データを短期データと呼び、下段の時系列データを長期データと呼ぶことにする。
【００４３】
図５に例示した短期データでは、腹囲信号（S2）は、例えば姿勢変化によって出力が変化している。この例では、椅子に着席すると信号レベルが上昇し（この例では腹囲が増加）、椅子から離席すると信号レベルが低下（腹囲が減少）している。また、食事を行うと信号レベルが上昇（腹囲が増加）している。このように、短期データには、姿勢変化や食事に影響が顕著に表れるため、短期間のデータでは腹囲の変化を判断するのは難しい。
【００４４】
しかしながら、ある程度以上の期間において腹囲信号（S2）のトレンドを見ることで腹囲の増加有無を知ることができる。図５の長期データには、信号レベルのトレンドを破線で示してある（以下、トレンドカーブと呼ぶ）。図５のトレンドカーブを見ると、この装着者（H）は、計測開始時（t0）から計測時（t1）までの期間において、信号レベルが増大傾向（腹囲が増大傾向）にあることが分かる。
【００４５】
このようなトレンドは、種々の方法で算出できるが、情報算出部（63）では、腹囲信号（S2）（デジタル値）の移動平均を算出することによって判定を行っている。図５の長期データでは、装着者（H）の腹囲は増加傾向にあり、装着者（H）は、計測時（t1）において、バックル（20）の固定位置、すなわちベルト長を調整して、ベルト本体（10）による締め付けを緩めている。なお、トレンドの算出には、所定期間分の腹囲信号（S2）を記憶しておく必要があるが、制御部（60）では、定期的にサンプリングした腹囲信号（S2）を記憶部（64）に格納している。
【００４６】
また、情報算出部（63）は、腹囲信号（S2）のトレンドから、装着者（H）の腹囲が増加傾向にあると判定した場合には、装着者（H）に対して、肥満改善のための情報（例えば腹囲を減少させるための情報）を提供する。具体的にこの例では、生体情報センサ（40）によって取得した鼓動の情報も用いつつ、腹囲の減少に必要な運動強度となる心拍数を算出している。必要な運動強度となる心拍数の算出も種々の計算式が知られているが、例えば、（目標心拍数＝（最大心拍数−安静時心拍数）×０．５＋安静時心拍数）といった式を利用することが考えられ、本実施形態の情報算出部（63）では、この式を採用している。情報算出部（63）は、この算出結果を記憶部（64）に格納する。
【００４７】
−記憶部、通信部−
記憶部（64）は、半導体メモリデバイスで構成されており、測定されたデータや算出されたデータを格納する。一方、通信部（65）は、記憶部（64）の格納されている情報などを衣服用ベルト（1）の外部に送信する。送信するデータとしては、情報算出部（63）で算出した腹囲の減少に必要な運動強度に関する情報（心拍数）、腹囲のトレンドの情報などが挙げられる。この通信部（65）は、ユニバーサル・シリアル・バス（Universal Serial Bus、略称：USB）等を利用した有線通信を行うものでもよいし、電波や赤外線などを用いた無線通信を行うものでもよい。なお、通信部（65）が送信したデータを受信させる機器としては、いわゆるスマートフォンなどの携帯端末やパーソナルコンピュータなど、種々の機器が考えられる。
【００４８】
〈生体情報取得装置の動作〉
図６は、生体情報取得装置（1）の動作を説明するフローチャートである。まず、ステップ（ST01）では、制御部（60）は、生体情報センサ（40）からの圧力信号（S0）、及び腹囲情報センサ（50）から腹囲信号（S2）を取得する。より具体的には、体動信号抽出部（61）が圧力信号（S0）を読み取り、情報算出部（63）が腹囲信号（S2）を読み取る。制御部（60）では、読み取ったこれらの情報を、適宜、記憶部（64）に格納する。
【００４９】
ステップ（ST02）では、体動信号抽出部（61）が、圧力信号（S0））に基づき、装着者（H）の体動信号（S1）を抽出する。また、このステップでは、心拍信号抽出部（62）が、体動信号（S1）から、装着者（H）の心拍に由来する信号（心拍信号）を抽出する。また、トレンドの算出に十分な腹囲信号（S2）が得られた場合には、このステップにおいて、情報算出部（63）が腹囲信号（S2）のトレンドを算出する。トレンドを算出することで、腹囲信号（S2）から、姿勢変化、食事などの比較的短い間隔で起こる外乱による信号変化を除去した信号を得ることができる。
【００５０】
ステップ（ST03）では、情報算出部（63）が腹囲信号（S2）のトレンドを分析する。具体的には、トレンドカーブの傾きなどを見るなどして、装着者（H）が肥満傾向にあるか、痩せ傾向にあるか、ベルト長を変更したか否かを分析する。本実施形態では、情報算出部（63）は、分析結果を一旦、記憶部（64）に格納する。
【００５１】
そして、ステップ（ST04）において制御部（60）は、情報算出部（63）で求めた情報や記憶部（64）に格納してある情報を、通信部（65）を介して、外部の機器（例えば既述の携帯端末など）に、当該機器で表示できるように送信する。通信部（65）が送信を終えると、制御部（60）は、再びステップ（ST01）の制御に戻って動作を継続する。なお、通信部（65）からの情報を受信した機器は、例えば、腹囲減少に必要な運動強度となる心拍数や、腹囲のトレンドなどを表示する。それにより、装着者（H）は、自分の健康管理（例えば肥満解消のための運動）などを行うことが可能になる。
【００５２】
〈本実施形態における効果〉
以上のように、本実施形態では、生体情報取得装置において、肥満改善のための情報（例えば腹囲の減少に必要な情報）を容易に提供することが可能になる。
【００５３】
《発明の実施形態２》
図７は、本発明の実施形態２に係る生体情報取得装置（1）の斜視図である。この例は、生体情報センサ（40）の一部分がベルト本体（10）に設けられている点が実施形態１の例と相異する。具体的には、本実施形態の生体情報センサ（40）は、感圧チューブ（41）が感圧部本体（41a）と延長部（41b）とに分割されており、両者がコネクタ（41c）で連結されている。このコネクタ（41c）は、ベルト本体（10）に固定され、その一端がベルト本体（10）の内部に開口し、他端がベルト本体（10）の外に開口している。
【００５４】
また、感圧部本体（41a）は、ベルト本体（10）内に設けられている。詳しくは、ベルト本体（10）は、帯状の芯材とそれを覆う表面被覆とを備えており、感圧部本体（41a）は、芯材と表面被覆との間に挟み込まれている。より具体的には、衣服用ベルト（1）の装着時に装着者（H）の腹部側となる側の芯材の面（内側面）に面して感圧部本体（41a）を配置し、それを表面被覆で覆ってある。また、衣服用ベルト（1）の装着時において、感圧部本体（41a）が、装着者（H）の脇腹に相当する位置となるように、ベルト本体（10）上の位置を決定してある。そして、感圧部本体（41a）は、その一端が、表面被覆に設けられたコネクタ（41c）に接続されている。感圧部本体（41a）の他端は、ベルト本体（10）内部で開口している。
【００５５】
一方、延長部（41b）の一端の開口には、圧力センサ（42）が接続され、他端の開口は、バックル（20）の外に引き出されてコネクタ（41c）に接続されている。
【００５６】
以上のように、感圧チューブ（41）を分割したことにより、バックル（20）をベルト本体（10）から容易に取り外すことができる。それにより、ベルト本体（10）に感圧チューブ（41）を設けた場合においても、ベルト本体（10）とバックル（20）との組み合わせを変えるなど、ユーザの嗜好に対応すること可能になる。なお、コネクタ（41c）の取付位置は例示であり、例えば、コネクタ（41c）をバックル（20）に取り付けてもよい。
【００５７】
以上の構成でも、装着者（H）の体動（装着者（H）の鼓動を含む振動）が衣服を介してベルト本体（10）の表面被覆に加わると、感圧部本体（41a）が表面被覆からの圧力を受け、感圧部本体（41a）の内圧が変化する。その内圧変化は更に延長部（41b）にも伝わり、その結果、圧力センサ（42）は、この内圧変化に応じた信号を出力する。したがって、本実施形態でも実施形態１と同様に、腹囲情報及び生体情報（鼓動等）の取得ができる。すなわち、本実施形態でも、生体情報取得装置において、肥満改善のための情報（例えば腹囲の減少に必要な情報）を容易に提供することが可能になる。
【００５８】
なお、感圧部本体（41a）は、衣服用ベルト（1）の装着状態において、装着者（H）の背面に位置する部分に来ないように配置（背面に位置する部分を除く箇所に配置）するのが好ましい。人の背面側ではベルト本体（10）の大きな変形（例えば折れ曲がり）等が起こりやすく、取得した情報の信頼性が低下すると考えられるからである。
【００５９】
また、感圧部本体（41a）は、芯材の外側面に面して配置し、それを表面被覆で覆ってもよい。また、感圧部本体（41a）は、表面被覆上に設けることも可能である。
【００６０】
《実施形態２の変形例》
実施形態２の変形例では、腹囲情報センサ（50）として、生体情報センサ（40）を兼用する例を説明する。
【００６１】
図８は、実施形態２の変形例に係る生体情報取得装置（1）の正面図である。この例では、感圧チューブ（41）の他端側の端部（圧力センサ（42）と接続されていない側の端部）における開口は封止されている。より具体的には、感圧部本体（41a）における、コネクタ（41c）との接続側とは反対側の端が、封止栓（41d）で塞がれている。
【００６２】
このように感圧チューブ（41）（より具体的には感圧部本体（41a））の端を封止栓（41d）で塞いで密閉状態とすると、装着者（H）が衣服用ベルト（1）を装着したことによって、ベルト本体（10）に作用した、装着者（H）の腹部からの反力によって、内圧が変化する。そのため、本実施形態では、圧力センサ（42）が出力する圧力信号（S0）を、体動信号抽出部（61）に入力するとともに、腹囲信号（S2）として情報算出部（63）にも入力している。
【００６３】
そして、封止栓（41d）を有した生体情報センサ（40）でも、装着者（H）の体動（装着者（H）の鼓動を含む振動）が衣服を介してベルト本体（10）の表面被覆に加わると、感圧部本体（41a）が表面被覆の圧力を受け、感圧部本体（41a）の内圧が変化する。その内圧変化は更に延長部（41b）にも伝わり、その結果、圧力センサ（42）は、この内圧変化に応じた信号を出力する。
【００６４】
したがって、本変形例でも、各実施形態の衣服用ベルト（1）と同様に、腹囲情報及び生体情報（鼓動等）の取得ができる。そのため、本変形例でも、肥満改善のための情報（例えば腹囲の減少に必要な情報）を容易に提供することが可能になる。しかも、本変形例では、センサの数を減らせるのでコストの低減も可能になる。
【００６５】
《その他の実施形態》
なお、実施形態１でも、実施形態２の変形例のように、生体情報センサ（40）として、感圧チューブ（41）の一端を封止栓（41d）で塞いだものを用いてもよい。
【００６６】
また、生体情報センサ（40）は、各実施形態で説明したようなチューブ式のセンサには限定されない。
【００６７】
また、腹囲情報センサ（50）には、圧電素子を用いた圧電式ひずみセンサの他に、ひずみに応じた静電容量を測定する静電容量式ひずみセンサ、抵抗式ひずみセンサ等の種々センサを採用できる。
【００６８】
また、情報取得部（30）で得た情報は、表示機構（液晶パネルやＬＥＤ表示装置など）をバックル（20）等に設けて、それに表示してもよい。
【００６９】
また、制御部（60）や生体情報センサ（40）は、必ずしもバックル（20）に設ける必要はなく、例えば、別のケーシングに入れ、そのケーシングをベルト本体（10）に取り付けるようにしてもよい。生体情報センサ（40）を別のケーシングに入れる場合には、生体情報センサ（40）がベルト本体（10）に面するようにするとよい。
【産業上の利用可能性】
【００７０】
本発明は、生体情報取得装置として有用である。
【符号の説明】
【００７１】
１      衣服用ベルト（生体情報取得装置）
１０      ベルト本体
２０      バックル
４０      生体情報センサ
４１      感圧チューブ
４２      圧力センサ（受圧部）
５０      腹囲情報センサ
６０      制御部
６１      体動信号抽出部（検出部）
６２      心拍信号抽出部（検出部）
６４      記憶部
６５      通信部
【手続補正２】
【補正対象書類名】特許請求の範囲
【補正対象項目名】全文
【補正方法】変更
【補正の内容】
【特許請求の範囲】
【請求項１】
人の腹部に巻くベルト本体（10）と、
装着者（H）の鼓動を含む振動を検出する生体情報センサ（40）と、
前記ベルト本体（10）に作用する張力を検出する腹囲情報センサ（50）と、
前記腹囲情報センサ（50）から取得した情報に基づいて、前記装着者（H）の腹囲の増加の有無を判定するとともに、前記腹囲の増加を認定した場合に、前記生体情報センサ（40）によって取得した鼓動の情報から、肥満改善に必要な運動強度となる心拍数を算出する制御部（60）と、
を備えたことを特徴とする生体情報取得装置。
【請求項２】
請求項１において、
前記制御部（60）は、前記腹囲情報センサ（50）の検出値（S2）のトレンドに基づいて前記装着者（H）の腹囲の増加の有無を判定することを特徴とする生体情報取得装置。
【請求項３】
請求項１又は請求項２において、
前記生体情報センサ（40）は、
中空のチューブ状の感圧チューブ（41）と、
前記感圧チューブ（41）の一端に接続され、該感圧チューブ（41）の内圧に応じた信号（S0）を出力する受圧部（42）と、を備え、
前記制御部（60）は、前記受圧部（42）が出力した信号（S0）に基づいて、前記装着者（H）の鼓動を検出する検出部（61,62）を備えていることを特徴とする生体情報取得装置。
【請求項４】
請求項３において、
前記感圧チューブ（41）は、前記ベルト本体（10）に設けられ、
前記受圧部（42）は、前記ベルト本体（10）のバックル（20）に設けられ、
前記感圧チューブ（41）と前記受圧部（42）とは、着脱可能であることを特徴とする生体情報取得装置。
【請求項５】
請求項１から請求項３の何れかにおいて、
前記生体情報センサ（40）及び前記制御部（60）は、前記ベルト本体（10）のバックル（20）に設けられていることを特徴とする生体情報取得装置。
【請求項６】
請求項１から請求項３の何れかにおいて、
前記生体情報センサ（40）及び前記腹囲情報センサ（50）は、前記ベルト本体（10）に設けられていることを特徴とする生体情報取得装置。
【請求項７】
請求項３又は請求項４において、
前記感圧チューブ（41）は、前記受圧部（42）が接続された端とは反対側の端が封止されるとともに、前記ベルト本体（10）のうち、前記装着者（H）の背面に位置する部分を除く箇所に設けられており、
前記腹囲情報センサ（50）として、前記生体情報センサ（40）を兼用することを特徴とする生体情報取得装置。
【請求項８】
装着者（H）の鼓動を含む振動を検出する生体情報センサ（40）と、
前記装着者（H）の腹部からの反力を検出する腹囲情報センサ（50）と、
前記腹囲情報センサ（50）から取得した情報に基づいて、前記装着者（H）の腹囲の増加の有無を判定するとともに、前記腹囲の増加を認定した場合に、前記生体情報センサ（40）によって取得した鼓動の情報から、肥満改善に必要な運動強度となる心拍数を算出する制御部（60）と、
を備えたことを特徴とする生体情報取得装置。
【請求項９】
請求項８において、
前記生体情報センサ（40）を収容するケーシングを備えたことを特徴とする生体情報取得装置。
【請求項１０】
請求項８又は請求項９において、
前記制御部（60）は、前記腹囲情報センサ（50）の検出値（S2）のトレンドに基づいて前記装着者（H）の腹囲の増加の有無を判定することを特徴とする生体情報取得装置。
【請求項１１】
請求項８から請求項１０の何れかにおいて、
前記生体情報センサ（40）は、
中空のチューブ状の感圧チューブ（41）と、
前記感圧チューブ（41）の一端に接続され、該感圧チューブ（41）の内圧に応じた信号（S0）を出力する受圧部（42）と、を備え、
前記制御部（60）は、前記受圧部（42）が出力した信号（S0）に基づいて、前記装着者（H）の鼓動を検出する検出部（61,62）を備えていることを特徴とする生体情報取得装置。
【請求項１２】
請求項１から請求項１１の何れかにおいて、
前記制御部（60）は、前記生体情報センサ（40）の検出値及び前記腹囲情報センサ（50）の検出値の少なくとも一方を記憶する記憶部（64）を備えていることを特徴とする生体情報取得装置。
【請求項１３】
請求項１から請求項１２の何れかにおいて、
前記制御部（60）は、取得又は求めた情報を、無線又は有線で送信する通信部（65）を備えていることを特徴とする生体情報取得装置。